(57)【要約】  【課題】位相変調方式の光信号が波長領域で隣接する強度変調方式の光信号から受ける位相変化の影響を低減し、良好な伝送特性を実現できるＷＤＭ光伝送技術を提供する。  【解決手段】本発明のＷＤＭ光伝送システムは、ＲＺ−ＤＰＳＫ方式の光信号ＣＨ５に隣接するＲＺ方式の光信号ＣＨ４の光波形を検出し、その検出結果を基に、光伝送路１０においてＲＺ方式の光信号から受けるＸＰＭを打ち消す位相変調の駆動波形を計算し、その駆動波形に従い、隣接するＲＺ方式の光信号ＣＨ４に同期させて、ＲＺ−ＤＰＳＫ方式の光信号ＣＨ５に付加的に位相変調をかけることで、ＸＰＭの補償を行う。  【選択図】図１
2008078962.tif 000002
【特許請求の範囲】
【請求項１】
少なくとも１波の強度変調方式の光信号および少なくとも１波の位相変調方式の光信号を含んだＷＤＭ信号光が光伝送路を介して送受信されるＷＤＭ光伝送システムであって、
位相変調方式の光信号に波長領域で隣接する強度変調方式の光信号の光波形を検出する光波形検出部と、
前記光波形検出部で検出された光波形を基に、前記光伝送路において、前記位相変調方式の光信号が前記隣接する強度変調方式の光信号から受ける位相変調の状態を判断し、その位相変調を打ち消すことが可能な位相変調の駆動波形を計算する信号処理部と、
前記信号処理部で計算された駆動波形に従い、前記隣接する強度変調方式の光信号に同期させて、前記位相変調方式の光信号に付加的に位相変調をかける位相変調部と、
を備えて構成されたことを特徴とするＷＤＭ光伝送システム。
【請求項２】
請求項１に記載のＷＤＭ光伝送システムであって、
前記光波形検出部は、前記隣接する強度変調方式の光信号が前記光伝送路に送出される前の段階に、当該光信号の波形を検出し、
前記位相変調部は、前記信号処理部で計算された駆動波形に従い、前記光伝送路に送出される前記隣接する強度変調方式の光信号に同期させて、前記位相変調方式の光信号に付加的に位相変調をかけ、その光信号を前記光伝送路に送出することを特徴とするＷＤＭ光伝送システム。
【請求項３】
請求項２に記載のＷＤＭ光伝送システムであって、
前記光伝送路に送出される、前記位相変調方式の光信号および前記隣接する強度変調方式の光信号の位相を比較し、前記位相変調方式の光信号に付加的にかけられた位相変調が前記隣接する強度変調方式の光信号に同期しているか否かを検出する位相比較部を備えたことを特徴とするＷＤＭ光伝送システム。
【請求項４】
請求項２に記載のＷＤＭ光伝送システムであって、
前記光波形検出部および前記信号処理部における処理に要する時間に応じて、前記光伝送路に送出される前記強度変調方式の光信号を遅延させる光遅延素子を備えたことを特徴とするＷＤＭ光伝送システム。
【請求項５】
請求項２に記載のＷＤＭ光伝送システムであって、
前記位相変調部は、前記位相変調方式の光信号を生成する光送信器の出力端に接続された位相変調器を有し、該位相変調器を前記信号処理部で計算された駆動波形に従って駆動することにより、前記位相変調方式の光信号に付加的に位相変調をかけることを特徴とするＷＤＭ光伝送システム。
【請求項６】
請求項２に記載のＷＤＭ光伝送システムであって、
前記位相変調部は、前記位相変調方式の光信号を生成する光送信器内に備えられた位相変調器を利用して、前記位相変調方式の光信号に付加的に位相変調をかけることを特徴とするＷＤＭ光伝送システム。
【請求項７】
請求項２に記載のＷＤＭ光伝送システムであって、
前記光伝送路を伝送された後の前記位相変調方式の光信号の誤り率情報を取得して前記信号処理部に伝達する誤り率情報伝達部を備え、
前記信号処理部は、前記誤り率情報伝達部からの誤り率情報に基づいて、伝送後の誤り率が最小になるように、計算した位相変調の駆動波形の振幅を調整することを特徴とするＷＤＭ光伝送システム。
【請求項８】
請求項１に記載のＷＤＭ光伝送システムであって、
前記光波形検出部は、前記光伝送路を伝送された後の前記隣接する強度変調方式の光信号の波形を検出し、
前記位相変調部は、前記信号処理部で計算された駆動波形に従い、前記光伝送路を伝送された後の前記隣接する強度変調方式の光信号に同期させて、前記光伝送路を伝送された後の前記位相変調方式の光信号に位相変調をかけることを特徴とするＷＤＭ光伝送システム。
【請求項９】
請求項１に記載のＷＤＭ光伝送システムであって、
前記光波形検出部は、位相変調方式の光信号に波長領域で隣接する複数の強度変調方式の光信号の光波形をそれぞれ検出し、
前記信号処理部は、前記光波形検出部で検出された各光波形を基に、前記光伝送路において、前記位相変調方式の光信号が前記隣接する複数の強度変調方式の光信号から受ける位相変調の状態をそれぞれ判断し、各々の位相変調を打ち消すことが可能な位相変調の駆動波形を計算し、
前記位相変調部は、前記信号処理部で計算された各駆動波形を足し合わせた駆動波形に従い、前記隣接する複数の強度変調方式の光信号に同期させて、前記位相変調方式の光信号に付加的に位相変調をかけることを特徴とするＷＤＭ光伝送システム。
【請求項１０】
少なくとも１波の強度変調方式の光信号および少なくとも１波の位相変調方式の光信号を含んだＷＤＭ信号光を光伝送路を介して送受信するＷＤＭ光伝送方法であって、
位相変調方式の光信号に波長領域で隣接する強度変調方式の光信号の光波形を検出し、
該検出した光波形を基に、前記光伝送路において、前記位相変調方式の光信号が前記隣接する強度変調方式の光信号から受ける位相変調の状態を判断し、
該判断した位相変調を打ち消すことが可能な位相変調の駆動波形を計算し、
該計算した駆動波形に従い、前記隣接する強度変調方式の光信号に同期させて、前記位相変調方式の光信号に付加的に位相変調をかけることを特徴とするＷＤＭ光伝送方法。
【発明の詳細な説明】
【技術分野】
【０００１】
本発明は、波長の異なる複数の光信号を含んだ波長多重（Wavelength Division Multiplexing；ＷＤＭ）信号光を伝送するＷＤＭ光伝送システムおよびＷＤＭ光伝送方法に関し、特に、強度変調方式の光信号と位相変調方式の光信号との間の相互作用による伝送特性の劣化を低減するための技術に関する。
【背景技術】
【０００２】
通信のトラフィックの増大に伴い、例えば海底光ケーブルシステム等の伝送容量増大の要求がある。このような要求に対して、一般には新たに海底光ケーブルを敷設し、海底端局を建設することが考えられる。また、敷設済みで使われていない光ケーブル（ダークファイバ）に、新たに海底端局を追加する方法もある。さらに、既に納入された光通信装置に対し新たに光チャネルを追加することで、低価格で伝送容量を大きくするアップグレード方法も知られている。
【０００３】
上記のアップグレード方法には、例えば、既存のＷＤＭ光伝送装置内にある合波器および分波器の空ポートに光送信器および光受信器を接続することで光チャネルを増設する方法がある。また、例えば図１０に示すようなＷＤＭ光伝送システムの初期の構成に対して、図１１に示すように既存の光信号（光チャネル）ＣＨ１〜ＣＨ４に対応した端局の送信側および受信側に光分岐をそれぞれ設け、新規の光チャネルＣＨ５〜ＣＨ８に対応した端局を増設する方法もある。図１２は、上記のようなアップグレード方法における既存の光チャネルＣＨ１〜ＣＨ４と新規の光チャネルＣＨ５〜ＣＨ８の波長領域での配置例である。この一例では、既存の光チャネルＣＨ１〜ＣＨ４の短波長側に増設する光チャネルＣＨ５，ＣＨ６が配置され、既存の光チャネルＣＨ１〜ＣＨ４の長波長側に増設する光チャネルＣＨ７，ＣＨ８が配置されている。
【０００４】
ところで、陸上通信向けのシステムでは、通常、光信号の変調方式としてＮＲＺ（Non Return to Zero）符号が用いられているのに対し、海底通信向けのシステムでは、通常、光変調方式としてＲＺ（Return to Zero）符号が使われている。ＲＺ方式は光送信器の構成が複雑になる代わりに、受信感度に優れ、かつ、光ファイバを長距離伝送しても信号劣化が比較的小さいという利点がある。
【０００５】
上記のＲＺ方式の光信号を用いたＷＤＭ光伝送システムで信号劣化となる現象は、光ファイバの非線形効果に起因するものであり、具体的には、自己位相変調（Self Phase Modulation；ＳＰＭ）および相互位相変調（Cross Phase Modulation；ＸＰＭ）である。ＳＰＭは、光ファイバを伝搬する光信号のパワーに応じて、光ファイバの屈折率が変化し、当該光信号に位相変調がかかる現象である。この位相変調によって光信号のスペクトルが広がることにより、光ファイバの分散特性に応じて光信号波形が歪む。また、ＸＰＭは、波長の隣接する光チャネルの光パワーによって、ファイバの屈折率が変化して位相変調がかかる現象であり、光伝送路の分散特性に応じて光信号波形が歪む。
【０００６】
このようなＸＰＭによるＷＤＭ信号光の劣化を抑える技術としては、波長の隣接する光信号のビットパターン同士が光ファイバの有効長内で互いに１／２ビット周期以上のウォークオフを生じるように、光送信器の波長を配置してＸＰＭの発生を抑える技術がある。（例えば、下記の特許文献１参照）。また、波長の隣接する光信号に対して送信時に互いに異なる波長分散を付与し、その波長分散および光伝送路の波長分散を受信側で補償することで、隣接する光信号間の漏話を抑圧する技術も知られている（例えば、下記の特許文献２参照）。
【０００７】
なお、光ファイバの非線形効果としては、上記のＳＰＭおよびＸＰＭの他に四光波混合（Four Wave Mixing；ＦＷＭ）もある。このＦＷＭについては、ＷＤＭ信号光の各光チャネルの間の伝播速度に適度の差をつけることにより、その発生を回避することができる。具体的には、例えば、−２ｐｓ／ｎｍ／ｋｍ程度の波長分散を有する光ファイバを用いることで、ＦＷＭの発生を回避することが可能になる。
【０００８】
また、光信号の変調方式に関して、近年、さらに受信感度を改善するために、光の位相に情報を載せるＲＺ−ＤＰＳＫ（Differential Phase Shift Keying）方式の適用が検討されている（例えば、下記の非特許文献１参照）。このＲＺ−ＤＰＳＫ方式では、光送受信器の構成はＲＺ方式に比べて更に複雑になるものの、受信感度はＲＺ方式に比べほぼ３ｄＢ改善することが期待されている。
【０００９】
前述したアップグレード方法において、上記のＲＺ−ＤＰＳＫ方式を増設光チャンネルに適用することを考えると、ＲＺ−ＤＰＳＫ方式の光信号はスペクトル広がりが小さいため、ＲＺ方式よりも高密度に光信号を配置できるという利点が予想される。また、伝送路の累積分散が大きく、ＲＺ方式では大きなペナルティが生じてしまい所要の伝送品質を確保できない場合でも、ＲＺ−ＤＰＳＫ方式は受信感度がよいので、ＲＺ−ＤＰＳＫ方式の光信号が増設可能になることもある。
【特許文献１】特開平７−６６７７９号公報
【特許文献２】特開２０００−１８３８１５号公報
【非特許文献１】J.-X. Cai et al., "RZ-DPSK Field Trial Over 13100 km of Installed Non-Slope-Matched Submarine Fibers", JOURNAL OF LIGHTWAVE TECHNOLOGY, VOL.23, NO.1, JANUARY 2005, pp95-103.
【発明の開示】
【発明が解決しようとする課題】
【００１０】
しかしながら、前述した従来のアップグレード方法において、増設する光信号に対してＲＺ−ＤＰＳＫ等の位相変調方式の適用を想定した場合に、増設する光信号に波長領域で隣接する既存の光信号の変調方式が位相変調ではなくＲＺ等の強度変調であると、その強度変調方式の光信号との相互作用によって、増設する位相変調方式の光信号の伝送特性が劣化してしまう可能性がある。すなわち、位相変調方式の光信号は光の位相に情報を載せているが、隣接する強度変調方式の光信号からの相互位相変調（ＸＰＭ）によって、位相変調方式の光信号の位相に、強度変調方式の光信号の情報が雑音として乗る可能性がある。このような現象が起きると、位相変調方式の光信号の伝送特性が劣化してしまうことになり問題となる。
【００１１】
上記の問題点について図１３〜図１５を参照しながら具体的に説明すると、まず、図１３に示すように、ＲＺ方式の光信号が隣接チャネルに与える位相変化量（太線）は、光波形（細線）のハイレベルに対応したデータ「１」とローレベルに対応したデータ「０」とで異なっている。一方、図１４に示すように、ＲＺ−ＤＰＳＫ方式の光信号が隣接チャネルに与える位相変化量は、データの「１」「０」に依存せず一定である。このため、図１５に示すように、ＲＺ−ＤＰＳＫ方式の光信号は、隣接するＲＺ方式の光信号から受ける位相変化の影響により位相変調がかけられたような外乱が与えられて信号劣化が発生する。このようなＲＺ−ＤＰＳＫ方式の光信号の劣化は、上述した隣接する光信号のビットパターンを考慮して波長配置を最適化するなどの従来技術を応用しても抑圧することが困難である。
【００１２】
本発明は上記の問題点に着目してなされたもので、位相変調方式の光信号が波長領域で隣接する強度変調方式の光信号から受ける位相変調の影響を低減し、良好な伝送特性を実現できる、ＷＤＭ光伝送システムおよびＷＤＭ光伝送方法を提供することを目的とする。
【課題を解決するための手段】
【００１３】
上記の目的を達成するため本発明のＷＤＭ光伝送システムは、少なくとも１波の強度変調方式の光信号および少なくとも１波の位相変調方式の光信号を含んだＷＤＭ信号光が光伝送路を介して送受信されるシステムであって、位相変調方式の光信号に波長領域で隣接する強度変調方式の光信号の光波形を検出する光波形検出部と、前記光波形検出部で検出された光波形を基に、前記光伝送路において、前記位相変調方式の光信号が前記隣接する強度変調方式の光信号から受ける位相変調の状態を判断し、その位相変調を打ち消すことが可能な位相変調の駆動波形を計算する信号処理部と、前記信号処理部で計算された駆動波形に従い、前記隣接する強度変調方式の光信号に同期させて、前記位相変調方式の光信号に付加的に位相変調をかける位相変調部と、を備えて構成されるものである。
【００１４】
また、本発明のＷＤＭ光伝送方法は、少なくとも１波の強度変調方式の光信号および少なくとも１波の位相変調方式の光信号を含んだＷＤＭ信号光を光伝送路を介して送受信する方法であって、位相変調方式の光信号に波長領域で隣接する強度変調方式の光信号の光波形を検出し、該検出した光波形を基に、前記光伝送路において、前記位相変調方式の光信号が前記隣接する強度変調方式の光信号から受ける位相変調の状態を判断し、該判断した位相変調を打ち消すことが可能な位相変調の駆動波形を計算し、該計算した駆動波形に従い、前記隣接する強度変調方式の光信号に同期させて、前記位相変調方式の光信号に付加的に位相変調をかけるものである。
【００１５】
上記のようなＷＤＭ光伝送システムおよびＷＤＭ光伝送方法では、位相変調方式の光信号に波長領域で隣接する強度変調方式の光信号の光波形が検出され、その検出結果を基に、光伝送路において位相変調方式の光信号が隣接する強度変調方式の光信号から受ける位相変調（ＸＰＭ）が判断され、その位相変調を打ち消すことが可能な位相変調の駆動波形が計算される。そして、その駆動波形に従った位相変調が、隣接する強度変調方式の光信号に同期させて、位相変調方式の光信号に付加的にかけられることで、光伝送路で発生するＸＰＭの補償が行われるようになる。
【発明の効果】
【００１６】
以上のような本発明のＷＤＭ光伝送システムおよびＷＤＭ光伝送方法によれば、位相変調方式の光信号が波長領域で隣接する強度変調方式の光信号から受ける位相変調の影響を低減することができるため、良好な伝送特性を実現することが可能になる。
【発明を実施するための最良の形態】
【００１７】
以下、本発明を実施するための最良の形態について添付図面を参照しながら説明する。なお、全図を通して同一の符号は同一または相当部分を示すものとする。
【００１８】
図１は、本発明の第１実施形態によるＷＤＭ光伝送システムの主要部の構成を示す図である。
【００１９】
図１において、本実施形態のＷＤＭ光伝送システムは、上述した伝送容量を増大させるためのアップグレード方法における、既存の光信号を光伝送路に送信するための構成として、例えば、波長の異なるＲＺ方式の光信号（光チャネル）ＣＨ１，ＣＨ２，ＣＨ３，ＣＨ４を送信するＲＺ光送信器１１1，１１2，１１3，１１4と、各ＲＺ光送信器１１1〜１１4から出力される光信号ＣＨ１〜ＣＨ４を合波する合波器１２と、該合波器１２からの出力光を所要のレベルまで増幅して光伝送路１０に送る光増幅器１３と、を備える。
【００２０】
また、上記ＲＺ方式の光信号ＣＨ１〜ＣＨ４に対して、位相変調方式の光信号を増設するための構成として、例えば、波長の異なるＲＺ−ＤＰＳＫ方式の光信号ＣＨ５，ＣＨ６，ＣＨ７，ＣＨ８を送信するＲＺ−ＤＰＳＫ光送信器１４5，１４6，１４7，１４8と、各ＲＺ−ＤＰＳＫ光送信器１４5〜１４8から出力される光信号ＣＨ５〜ＣＨ８を合波する合波器１５と、該合波器１５からの出力光を所要のレベルまで増幅する光増幅器１６と、上記の光増幅器１３から光伝送路１０に向けて送られるＲＺ方式の光信号ＣＨ１〜ＣＨ４、および、光増幅器１６から出力されるＲＺ−ＤＰＳＫ方式の光信号ＣＨ５〜ＣＨ８を一旦合波した後に２つに分岐して出力する光カプラ（ＣＰＬ）１７と、該光カプラ１７から出力される一方の分岐光（光信号ＣＨ１〜ＣＨ８を含んだＷＤＭ信号光）を所要のレベルまで増幅して光伝送路１０に送る光増幅器１８と、を備える。
【００２１】
さらに、ＲＺ−ＤＰＳＫ方式の光信号が隣接するＲＺ方式の光信号から受ける位相変調の影響を低減するための構成として、光増幅器１３から出力されるＲＺ方式の光信号ＣＨ１〜ＣＨ４を予め設定した分岐比で２つの分岐する光カプラ（ＣＰＬ）２１と、該光カプラ２１の一方の出力ポートと光カプラ１７の入力ポートとの間の光路上に挿入された光遅延素子（ＤＬ）２２と、光カプラ２１の他方の出力ポートから出力される光信号ＣＨ１〜ＣＨ４より、ＲＺ−ＤＰＳＫ方式の光信号ＣＨ５に対して波長の隣接する光信号ＣＨ４を抽出する光フィルタ（ＦＩＬ）２３と、該光フィルタ２３で抽出された光信号ＣＨ４を電気信号に変換する光電変換素子（Ｏ／Ｅ）２４と、光カプラ１７から出力される他方の分岐光を用いて、ＲＺ方式の光信号ＣＨ４とＲＺ−ＤＰＳＫ方式の光信号ＣＨ５との同期状態を検出する位相比較部２５と、光電変換素子２４および位相比較部２５からそれぞれ出力される電気信号を基に、光伝送路１０で発生する相互位相変調（ＸＰＭ）を打ち消すための位相変調の駆動波形を計算する信号処理部２６と、光信号ＣＨ５に対応したＲＺ−ＤＰＳＫ光送信器１４5と合波器１５の間の光路上に挿入された位相変調器２７と、信号処理部２６で計算された駆動波形に従って位相変調器２７を駆動するドライバ回路（ＤＲＶ）２８と、を備える。
【００２２】
上記のような構成のＷＤＭ光伝送システムにおいて、光伝送路１０に送信されるＷＤＭ信号光の波長配置は、例えば図２に示すように、光チャネルＣＨ１からＣＨ４までが既存のＲＺ方式の光信号であり、それらよりも長波長側の領域に、増設するＲＺ−ＤＰＳＫ方式の光チャネルＣＨ５からＣＨ８までが配置されるものとする。このようなＷＤＭ信号光の波長配置では、ＲＺ方式の光チャネルＣＨ４とＲＺ−ＤＰＳＫ方式の光チャネルＣＨ５とが波長領域で隣接することになる。
【００２３】
なお、本発明における既存の光信号および増設する光信号の波長配置は、上記の一例に限定されるものではなく、例えば上述の図１２に示したように既存光チャネルの短波長側および長波長側にそれぞれ増設光チャネルを配置するようにしてもよい。図１２の波長配置の場合、既存の光信号ＣＨ１および増設する光信号ＣＨ６、並びに、既存の光信号ＣＨ４および増設する光信号ＣＨ７が波長領域で隣接することになる。また、上記のようなＷＤＭ信号光の波長配置は、基本的に、海底光ケーブルシステム等のアップグレードを想定して、既存の光信号の波長帯域外に増設する光信号を配置するようにしているが、例えば、陸上光メトロネットワーク等のようにネットワーク上で光信号のアド・ドロップやクロスコネクトが行われることで、位相変調方式の光信号と強度変調方式の光信号とが隣接した波長配置となるような場合にも、本発明の適用が有効である。
【００２４】
次に、上記の図１に示したＷＤＭ光伝送システムの動作について、ＲＺ−ＤＰＳＫ方式の光信号ＣＨ５がＲＺ方式の光信号ＣＨ４から受ける位相変調（ＸＰＭ）の影響を低減するための方法を中心に詳しく説明する。
【００２５】
本ＷＤＭ光伝送システムでは、ＲＺ−ＤＰＳＫ方式の光信号ＣＨ５が波長の隣接するＲＺ方式の光信号ＣＨ４から受ける位相変調の影響を補償するために、光伝送路１０で発生するＸＰＭを打ち消す位相変調が、ＲＺ−ＤＰＳＫ方式の光信号ＣＨ５に対して付加的にかけられる。このようなＸＰＭを打ち消す位相変調を実現するためには、光伝送路１０に送られるＲＺ方式の光信号ＣＨ４のデータを知ることが必要となる。
【００２６】
このため、ここでは光増幅器１３から出力される、光信号ＣＨ１〜ＣＨ４が合波されたＷＤＭ信号光の一部が、光カプラ２１で分岐され、その分岐光が光フィルタ２３に与えられる。光フィルタ２３は光信号ＣＨ４の波長に対応した透過帯域を有しており、光カップラ２１で分岐されたＷＤＭ信号光より光信号ＣＨ４が抽出される。そして、光フィルタ２３で抽出された光信号ＣＨ４が、光電変換素子２４で電気信号に変換され、その電気信号が信号処理部２６に送られる。
【００２７】
信号処理部２６では、光電変換素子２４からの電気信号に基づいて、光伝送路１０でのＸＰＭを打ち消す位相変調の駆動波形が計算される。この計算は、光伝送路１０の波長分散特性を考慮して行われ、具体的には、次の（Ａ）〜（Ｃ）に関する情報を用いて実行される。
（Ａ）光信号ＣＨ５に位相変調を起こすＸＰＭの大きさ
（Ｂ）光信号ＣＨ５に影響を与える光信号の波形
（Ｃ）光伝送路１０の波長分散および損失特性
上記（Ａ）の情報は、光伝送路１０の非線形定数γと、光電変換素子２４からの電気信号によって示される光信号ＣＨ４のパワーｐとの積（γ×ｐ）を計算することで得られる。また、（Ｂ）の情報は、隣接する光信号ＣＨ４のＲＺ波形、すなわち、光電変換素子２４からの電気信号の波形より得られる。さらに、（Ｃ）の情報は、光伝送路１０の特性データ等を参照することで得られる。上記（Ａ）および（Ｂ）の情報を基に、光伝送路１０のある地点で発生するＸＰＭの発生量を計算することが可能であり、その計算結果と（Ｃ）の情報とを用いることにより、隣接する光信号ＣＨ４からの影響を受けて光信号ＣＨ５に発生する位相変調の波形が求められる。そして、その位相変調の波形の極性を反転させることにより、ＲＺ方式の光信号ＣＨ４から受けるＸＰＭを打ち消すために光信号ＣＨ５に付加的にかける位相変調の駆動波形が計算される。
【００２８】
なお、ここでは光信号ＣＨ４の波形情報を得るために、光カプラ２１および光フィルタ２３を用いてＷＤＭ信号光から光信号ＣＨ４を抽出し、それを光電変換素子２４で電気信号に変換するようにしたが、光信号ＣＨ４を発生するＲＺ光送信器１１4に対してデータ信号として与えられる電気信号を別途取り出すことが可能であれば、そのデータ信号を光電変換素子２４からの電気信号に代えて信号処理部２６に与えるようにしてもよい。
【００２９】
また、上記の信号処理部２６で求められる、隣接する光信号ＣＨ４からの影響を受けて光信号ＣＨ５に発生する位相変調の波形は、上述の図１５に太線で示したような波形に相当することになり、当該波形は図１３に細線で示したＲＺ信号の光パルス波形とほぼ同じ形状になる。このため、光信号ＣＨ４を発生するＲＺ光送信器１１4の駆動信号を取り出して、その駆動波形を光信号ＣＨ５に付加的にかける位相変調の駆動波形として用いるようにしても、光信号ＣＨ４から受けるＸＰＭを低減させる効果は十分に得られる。上記のような構成を適用すれば、簡略な構成により位相変調の駆動波形を決めることが可能になる。
【００３０】
上記のようにして信号処理部２６で光信号ＣＨ５に対する位相変調の駆動波形が計算されると、その駆動波形を示す駆動制御信号がドライバ回路２８に伝えられ、ＲＺ−ＤＰＳＫ光送信器１４5の後段に設けられた位相変調器２７が上記の駆動波形に従って駆動される。これにより、ＲＺ−ＤＰＳＫ光送信器１４5から出力される光信号ＣＨ５に対して、光信号ＣＨ４から受けるＸＰＭを打ち消すための位相変調が付加的にかけられる。
【００３１】
このときの光信号ＣＨ５に対する位相変調は、ＲＺ方式の光信号ＣＨ４のデータに時間的に同期させる必要がある。このため、本実施形態では光カプラ２１の後段に光遅延素子２２を設け、ＲＺ方式の光信号ＣＨ１〜ＣＨ４が光伝送路１０に送出される時間が、信号処理部２６での計算処理に要する時間に応じて遅れるようにしている。なお、光遅延素子２２は、例えばファイバ遅延線などを用いて実現することが可能である。また、ＲＺ方式の光信号ＣＨ４のデータのタイミングに対して、ＲＺ−ＤＰＳＫ方式の光信号ＣＨ５にかけられた位相変調のタイミングが同期しているか否かを位相比較部２５で検出し、その結果が信号処理部２６にフィードバックされるようにしている。
【００３２】
図３は、上記位相比較部２５の具体的な構成の一例を示す図である。この構成例では、図１に示した光カプラ１７から出力されるＷＤＭ信号光が、さらに光カプラ（ＣＰＬ）２５Ａに入力されて２つに分岐され、一方の分岐光が光フィルタ（ＦＩＬ）２５Ｂに送られ、他方の分岐光が光フィルタ（ＦＩＬ）２５Ｃに送られる。光フィルタ２５Ｂでは、光カプラ２５Ａからの分岐光より光信号ＣＨ４が抽出され、その光信号ＣＨ４がＲＺ光受信器（ＲＺ−ＲＸ）２５Ｄで受信処理される。また、光フィルタ２５Ｃでは、光カプラ２５Ａからの分岐光より光信号ＣＨ５が抽出され、その光信号ＣＨ５がＲＺ−ＤＰＳＫ光受信器（ＲＺ−ＤＰＳＫ−ＲＸ）２５Ｅで受信処理される。そして、ＲＺ光受信器２５ＤおよびＲＺ−ＤＰＳＫ光受信器２５Ｅからそれぞれ出力される各受信信号が位相比較回路２５Ｆに与えられ、各々の信号の位相比較が行われることにより、光信号ＣＨ５に対して付加的にかけられた位相変調のタイミングが光信号ＣＨ４の位相（データのタイミング）に同期しているかがモニタされ、そのモニタ結果が図１に示した信号処理部２６にフィードバックされる。
【００３３】
なお、この位相比較回路２５Ｆでの位相比較を実現するためには、例えば、ＲＺ−ＤＰＳＫ方式の光信号ＣＨ５のデータを所要期間すべて「１」にすると共に、ＸＰＭを打ち消すための位相変調の振幅をπにして、位相比較を行うようにすればよい。
【００３４】
位相比較回路２５Ｆでのモニタ結果がフィードバックされた信号処理部２６では、光信号ＣＨ５にかけられる位相変調のタイミングと光信号ＣＨ４のデータのタイミングとが同期するように、ドライバ回路２８に出力する駆動制御信号のタイミング調整が行われる。これにより、光カプラ１７から光伝送路１０に向けて送出される、ＲＺ方式の光信号ＣＨ４、ＲＺ−ＤＰＳＫ方式の光信号ＣＨ５および光信号ＣＨ５に付加的にかけられた位相変調は、例えば図４に示すような位相関係になり、光信号ＣＨ４のパルス波形（上段）に対して、タイミングが同期し極性が反転した位相変調（下段）が光信号ＣＨ５にかけられるようになる。なお、図４の一例では、光信号ＣＨ４のパルス波形（上段）と光信号ＣＨ５のパルス波形（中段）とについても同期がとられているが、光信号ＣＨ４のパルス波形と光信号ＣＨ５に付加的にかけられる位相変調との同期がとられていれば、各光信号ＣＨ４，ＣＨ５のパルス波形間にタイミングのずれが生じていても構わない。
【００３５】
上記のように第１実施形態のＷＤＭ光伝送システムによれば、ＲＺ−ＤＰＳＫ方式の光信号ＣＨ５に対して、隣接するＲＺ方式の光信号ＣＨ４から受けるＸＰＭを打ち消すための位相変調を付加的にかけるようにしたことで、増設する光信号の変調方式にＲＺ−ＤＰＳＫ方式を適用してアップグレードを行う場合でも、良好な伝送特性を実現することが可能になる。
【００３６】
なお、上記の第１実施形態では、光遅延素子２２として遅延量が固定のものを用いる一例を示したが、遅延量が可変の光遅延素子を用いて、光信号ＣＨ４と光信号ＣＨ５の間の位相（遅延）を調整するようにしてもよい。上記の遅延量が可変の光遅延素子としては、例えば、石英導波路をヒーター等で加熱することにより遅延量を変化させるものなどを利用することが可能である。このような構成を適用することにより、ＲＺ方式の光信号ＣＨ４のデータのタイミングと、ＲＺ−ＤＰＳＫ方式の光信号ＣＨ５に付加される位相変調のタイミングとをより確実に同期させることができる。
【００３７】
また、ＲＺ−ＤＰＳＫ光送信器１４5の後段に位相変調器２７を設けて、隣接するＲＺ方式の光信号ＣＨ４から受けるＸＰＭを打ち消すための位相変調を光信号ＣＨ５にかけるようにした構成例を示したが、例えば図５に示すように、ＲＺ−ＤＰＳＫ光送信器１４5内の位相変調器１４Ｂを利用して、ＸＰＭを打ち消すための位相変調を行うことも可能である。具体的に、図５の構成例では、連続光を出力する光源（ＬＤ）１４Ａの後段に位相変調器（ＰＭ）１４Ｂおよび強度変調器（ＩＭ）１４Ｃが縦列接続されており、データ信号ＤＡＴＡに従って差動符号化回路１４Ｄで生成されたＤＰＳＫ方式の変調信号がドライバ回路（ＤＲＶ）１４Ｅに与えられ、そのドライバ回路１４Ｅから出力される駆動信号と、上述した信号処理部２６で計算した駆動波形に従ってドライバ回路２８から出力される駆動信号とが加算器１４Ｆに与えられ、加算された駆動信号によって位相変調器１４Ｂが駆動される。これにより、光源１４Ａからの連続光がデータ信号ＤＡＴＡに従ってＤＰＳＫ変調されると同時に、ＸＰＭを打ち消す位相変調が付加的にかけられる。そして、位相変調器１４Ｂで位相変調された光信号が強度変調器１４Ｃでクロック信号ＣＬＫに従って強度変調されることでＲＺパルス化される。これにより、隣接するＲＺ方式の光信号ＣＨ４から受けるＸＰＭを打ち消すための位相変調が付加的にかけられたＲＺ−ＤＰＳＫ方式の光信号ＣＨ５がＲＺ−ＤＰＳＫ光送信器１４5から直接出力されるようになる。
【００３８】
次に、本発明の第２実施形態について説明する。
【００３９】
図６は、本発明の第２実施形態によるＷＤＭ光伝送システムの主要部の構成を示す図である。
【００４０】
図６において、本実施形態のＷＤＭ光伝送システムは、上述の図１に示した第１実施形態の構成について、光送信端局１から光伝送路１０に送信されたＷＤＭ信号光を光受信端局５で受信し、該光受信端局５で検出されるＲＺ−ＤＰＳＫ方式の光信号ＣＨ５に関する誤り率情報を光送信端局１の信号処理部２６に伝達し、その誤り率情報に基づいて、ＲＺ−ＤＰＳＫ方式の光信号ＣＨ５に付加的にかける位相変調の平均的な度合い（位相変調器２７の駆動振幅）を調整するようにしたものである。なお、光送信端局１の構成は、上述した第１実施形態の場合と基本的に同様である。
【００４１】
光受信端局５では、光伝送路１０を伝送されたＷＤＭ信号光が光増幅器５１で所要のレベルまで増幅された後に光カプラ（ＣＰＬ）５２で２つに分岐される。光カプラ５２から出力される一方の分岐光は、光増幅器５３で所要のレベルまで増幅された後に、アレイ導波路回析格子(Arrayed Waveguide Grating；ＡＷＧ)等を用いた分波器５４でＲＺ方式の光信号ＣＨ１〜ＣＨ４にそれぞれ分波され、各光信号ＣＨ１〜ＣＨ４に対応したＲＺ光受信器（ＲＺ−ＲＸ）５５1〜５５4で受信処理される。また、光カプラ５２から出力される他方の分岐光も、光増幅器５６で所要のレベルまで増幅された後に、ＡＷＧ等を用いた分波器５７でＲＺ−ＤＰＳＫ方式の光信号ＣＨ５〜ＣＨ８にそれぞれ分波され、各光信号ＣＨ５〜ＣＨ８に対応したＲＺ−ＤＰＳＫ光受信器（ＲＺ−ＤＰＳＫ−ＲＸ）５５5〜５５8で受信処理される。そして、光信号ＣＨ５に対応したＲＺ−ＤＰＳＫ光受信器５５5で検出される誤り率情報が、例えば、図示しない対向回線を伝送される監視制御光などを利用して、光送信端局１の信号処理回路２６に伝達される。なお、光信号ＣＨ５の誤り率情報を送信側に伝達する手段は上記の一例に限定されるものではない。
【００４２】
上記のような構成のＷＤＭ光伝送システムにおいて、光伝送路１０で発生するＸＰＭの大きさは、波長の隣接する２つの光信号の相対的な偏光状態に応じて変化する。具体的には、２つの光信号の偏光状態が同一のときにＸＰＭが最大となり、２つの光信号の偏光状態が直交するときにＸＰＭが最小となる。光伝送路１０中の光信号の偏光状態は時間的に変動するため、光伝送路１０で発生するＸＰＭの大きさも時間的に変動し、そのＸＰＭの変動による影響は受信端で検出される誤り率に現れる。よって、光伝送路１０で実際に発生しているＸＰＭの大きさと、そのＸＰＭを打ち消すために送信側で光信号ＣＨ５に対して付加的にかけられる位相変調の大きさ（平均的な度合い）との間にずれが生じると、受信側で検出される光信号ＣＨ５の誤り率が上昇するようになる。
【００４３】
そこで、本実施形態では、受信側で検出される光信号ＣＨ５の誤り率情報を送信側の信号処理部２６にフィードバックして、該信号処理部２６で計算される位相変調の駆動波形について、受信側での誤り率ができるだけ低くなるように、駆動波形の振幅が調整される。この振幅の調整は、ディザリング等により駆動振幅を僅かに変動させて誤り率が低下する駆動振幅の変化方向を判断して駆動振幅の最適化を図るようにするのがよい。これにより、光伝送路１０で発生するＸＰＭの大きさが時間的に変動しても、それに追随してＸＰＭを打ち消すための位相変調を光信号ＣＨ５にかけることができるようになる。
【００４４】
上記のように第２実施形態のＷＤＭ光伝送システムによれば、受信側で検出される誤り率情報を送信側にフィードバックして、ＲＺ−ＤＰＳＫ方式の光信号ＣＨ５に付加的にかけられる位相変調の平均的な度合い（駆動信号の振幅）を調整するようにしたことで、光伝送路１０で発生するＸＰＭをより高い精度で補償することができ、より一層良好な伝送特性を実現することが可能になる。
【００４５】
次に、本発明の第３実施形態について説明する。
【００４６】
上述した第１および第２実施形態では、送信側において、隣接するＲＺ方式の光信号ＣＨ４をモニタし、そのモニタ結果を基に光伝送路１０で発生するＸＰＭを打ち消すための位相変調をＲＺ−ＤＰＳＫ方式の光信号ＣＨ５に対して付加的にかけるようにした。しかしながら、例えば図７に示すようなネットワーク構成により、ＲＺ方式の光信号ＣＨ１，ＣＨ２およびＲＺ−ＤＰＳＫ方式の光信号ＣＨ３を３つの距離の離れた端局Ａ〜Ｃの間で送受信する場合、端局Ｃにおいては、ＲＺ−ＤＰＳＫ方式の光信号を位相変調するために必要なＲＺ方式の光信号に関する情報を送信側で得ることが困難になる。このような場合には、受信側でＲＺ−ＤＰＳＫ方式の光信号に対する位相変調を行うようにすればよい。そこで、第３実施形態では上記の場合に対応した応用例を説明することにする。
【００４７】
図８は、本発明の第３実施形態によるＷＤＭ光伝送システムの主要部の構成を示す図である。
【００４８】
図８に示すＷＤＭ光伝送システムでは、例えば、上述の図２に示した場合と同様にしてＲＺ方式の光信号ＣＨ１〜ＣＨ４およびＲＺ−ＤＰＳＫ方式の光信号ＣＨ５〜ＣＨ８が波長配置されたＷＤＭ信号光が光伝送路１０中を伝送され、そのＷＤＭ信号光が受信端の光増幅器５１で所要のレベルまで増幅された後、光カプラ（ＣＰＬ）５２によってここでは３つに分岐される。光カプラ５２の第１ポートから出力される分岐光は、光増幅器５３で所要のレベルまで増幅された後に、ＡＷＧ等を用いた分波器５４でＲＺ方式の光信号ＣＨ１〜ＣＨ４にそれぞれ分波され、各光信号ＣＨ１〜ＣＨ４に対応したＲＺ光受信器（ＲＺ−ＲＸ）５５1〜５５4で受信処理される。
【００４９】
また、光カプラ５２の第２ポートから出力される分岐光は、光遅延素子（ＤＬ）６１を通過して光増幅器５６で所要のレベルまで増幅された後に、ＡＷＧ等を用いた分波器５７でＲＺ−ＤＰＳＫ方式の光信号ＣＨ５〜ＣＨ８にそれぞれ分波され、光信号ＣＨ５は位相変調器６６を介してＲＺ−ＤＰＳＫ光受信器（ＲＺ−ＤＰＳＫ−ＲＸ）５８5で受信処理され、他の光信号ＣＨ６〜Ｈ８は各々に対応したＲＺ−ＤＰＳＫ光受信器５８6〜５８8に直接与えられて受信処理される。
【００５０】
さらに、光カプラ５２の第３ポートから出力される分岐光は、光信号ＣＨ４の波長に対応した透過帯域を有する光フィルタ（ＦＩＬ）６２に与えられて光信号ＣＨ４のみが抽出され、その光信号ＣＨ４が光電変換素子（Ｏ／Ｅ）６３で電気信号に変換されて、信号処理部６４に送られる。信号処理部６４では、光電変換素子６３からの電気信号に基づいて、光信号ＣＨ５が隣接する光信号ＣＨ４から受けたＸＰＭを打ち消す位相変調の駆動波形が計算される。なお、信号処理部６４における駆動波形の計算方法は、上述した第１実施形態の信号処理部２６における計算方法と同様であるので、ここでの説明は省略する。そして、信号処理部６４で位相変調の駆動波形が計算されると、その駆動波形を示す駆動制御信号がドライバ回路（ＤＲＶ）６５に伝えられ、ＲＺ−ＤＰＳＫ光受信器５８5の前段に設けられた位相変調器６６が上記の駆動波形に従って駆動される。これにより、受信したＲＺ−ＤＰＳＫ方式の光信号ＣＨ５に対して、隣接する光信号ＣＨ４から受けたＸＰＭを打ち消す位相変調がかけられ、ＸＰＭの影響が補償された光信号ＣＨ５がＲＺ−ＤＰＳＫ光受信器５８5に与えられる。
【００５１】
上記ＲＺ−ＤＰＳＫ方式の光信号ＣＨ５への位相変調は、光電変換素子６３でモニタされるＲＺ方式の光信号ＣＨ４のデータに時間的に同期させる必要がある。このため、本実施形態では光カプラ５２と光増幅器５６の間の光路上に光遅延素子６１を設け、ＲＺ−ＤＰＳＫ方式の光信号ＣＨ５が位相変調器６６に入力される時間が、信号処理部６４での計算処理に要する時間に応じて遅れるようにしている。
【００５２】
上記のように第３実施形態のＷＤＭ光伝送システムによれば、送信側においてＲＺ−ＤＰＳＫ方式の光信号ＣＨ５に隣接するＲＺ方式の光信号ＣＨ４に関する情報を得ることが困難な場合でも、受信側において光信号ＣＨ４をモニタして光伝送路１０で発生したＸＰＭを打ち消すための位相変調を光信号ＣＨ５にかけるようにすることで、上述した第１実施形態の場合と基本的に同様の効果を得ることが可能である。
【００５３】
なお、上述した第１〜第３実施形態では、既存のＲＺ方式の光信号ＣＨ１〜ＣＨ４のうち、増設するＲＺ−ＤＰＳＫ方式の光信号ＣＨ５に波長領域で隣接する１波の光信号ＣＨ４だけから受けるＸＰＭの影響を考慮して、ＲＺ−ＤＰＳＫ方式の光信号ＣＨ５に付加的な位相変調をかけるようにしたが、本発明はこれに限らず、２波以上のＲＺ方式の光信号から受けるＸＰＭの影響を考慮して、ＲＺ−ＤＰＳＫ方式の光信号ＣＨ５への位相変調を行うようにしてもよい。
【００５４】
図９は、上述した第１実施形態について、ＲＺ−ＤＰＳＫ方式の光信号ＣＨ５に隣接するＲＺ方式の光信号ＣＨ４およびその隣の光信号ＣＨ３から受けるＸＰＭの影響を考慮した場合の構成例である。この構成例では、光カプラ２１で分岐された光がさらに光カプラ２１’で２つに分岐され、一方の分岐光から光フィルタ２３で光信号ＣＨ４が抽出され、他方の分岐光から光フィルタ２３’で光信号ＣＨ３が抽出される。そして、抽出された各光信号ＣＨ４，ＣＨ３が光電変換素子２３，２３’で電気信号に変換された後に信号処理部２６に送られることで、各光信号ＣＨ４，ＣＨ３から受けるＸＰＭを打ち消すための位相変調の駆動波形がそれぞれ計算され、各々の駆動波形を足し合わせた信号によって位相変調器２７が駆動されることで、ＲＺ−ＤＰＳＫ方式の光信号ＣＨ５に付加的な位相変調がかけられる。このような構成によれば、光伝送路１０で発生するＸＰＭの影響をより高い精度で補償することが可能になる。
【００５５】
また、上述した第１〜第３実施形態では、既存の光信号の強度変調方式としてＲＺ方式、増設する光信号の位相変調方式としてＲＺ−ＤＰＳＫ方式を採用した一例について説明したが、本発明における光信号の変調方式は上記の一例に限定されるものではない。例えば、ＮＲＺ方式などの公知の強度変調方式の光信号と、ＤＰＳＫ方式、ＣＳＲＺ（Carrier Suppressed Return to Zero）−ＤＰＳＫ方式、ＤＱＰＳＫ（Differential Quadrature Phase Shift Keying）方式、ＲＺ−ＤＱＰＳＫ方式、ＣＳＲＺ−ＤＱＰＳＫ方式、ＣＰ−ＦＳＫ（Continuous Phase-Frequency Shift Keying）方式などの公知の位相（および周波数）変調方式の光信号との任意の組み合わせについて本発明は有効である。
【００５６】
以上、本明細書で開示した主な発明について以下にまとめる。
【００５７】
（付記１）  少なくとも１波の強度変調方式の光信号および少なくとも１波の位相変調方式の光信号を含んだＷＤＭ信号光が光伝送路を介して送受信されるＷＤＭ光伝送システムであって、
位相変調方式の光信号に波長領域で隣接する強度変調方式の光信号の光波形を検出する光波形検出部と、
前記光波形検出部で検出された光波形を基に、前記光伝送路において、前記位相変調方式の光信号が前記隣接する強度変調方式の光信号から受ける位相変調の状態を判断し、その位相変調を打ち消すことが可能な位相変調の駆動波形を計算する信号処理部と、
前記信号処理部で計算された駆動波形に従い、前記隣接する強度変調方式の光信号に同期させて、前記位相変調方式の光信号に付加的に位相変調をかける位相変調部と、
を備えて構成されたことを特徴とするＷＤＭ光伝送システム。
【００５８】
（付記２）  付記１に記載のＷＤＭ光伝送システムであって、
前記光波形検出部は、前記隣接する強度変調方式の光信号が前記光伝送路に送出される前の段階に、当該光信号の波形を検出し、
前記位相変調部は、前記信号処理部で計算された駆動波形に従い、前記光伝送路に送出される前記隣接する強度変調方式の光信号に同期させて、前記位相変調方式の光信号に付加的に位相変調をかけ、その光信号を前記光伝送路に送出することを特徴とするＷＤＭ光伝送システム。
【００５９】
（付記３）  付記２に記載のＷＤＭ光伝送システムであって、
前記光伝送路に送出される、前記位相変調方式の光信号および前記隣接する強度変調方式の光信号の位相を比較し、前記位相変調方式の光信号に付加的にかけられた位相変調が前記隣接する強度変調方式の光信号に同期しているか否かを検出する位相比較部を備えたことを特徴とするＷＤＭ光伝送システム。
【００６０】
（付記４）  付記２に記載のＷＤＭ光伝送システムであって、
前記光波形検出部および前記信号処理部における処理に要する時間に応じて、前記光伝送路に送出される前記強度変調方式の光信号を遅延させる光遅延素子を備えたことを特徴とするＷＤＭ光伝送システム。
【００６１】
（付記５）  付記４に記載のＷＤＭ光伝送システムであって、
前記光遅延素子は、遅延量が可変であることを特徴とするＷＤＭ光伝送システム。
【００６２】
（付記６）  付記２に記載のＷＤＭ光伝送システムであって、
前記位相変調部は、前記位相変調方式の光信号を生成する光送信器の出力端に接続された位相変調器を有し、該位相変調器を前記信号処理部で計算された駆動波形に従って駆動することにより、前記位相変調方式の光信号に付加的に位相変調をかけることを特徴とするＷＤＭ光伝送システム。
【００６３】
（付記７）  付記２に記載のＷＤＭ光伝送システムであって、
前記位相変調部は、前記位相変調方式の光信号を生成する光送信器内に備えられた位相変調器を利用して、前記位相変調方式の光信号に付加的に位相変調をかけることを特徴とするＷＤＭ光伝送システム。
【００６４】
（付記８）  付記２に記載のＷＤＭ光伝送システムであって、
前記光伝送路を伝送された後の前記位相変調方式の光信号の誤り率情報を取得して前記信号処理部に伝達する誤り率情報伝達部を備え、
前記信号処理部は、前記誤り率情報伝達部からの誤り率情報に基づいて、伝送後の誤り率が最小になるように、計算した位相変調の駆動波形の振幅を調整することを特徴とするＷＤＭ光伝送システム。
【００６５】
（付記９）  付記１に記載のＷＤＭ光伝送システムであって、
前記光波形検出部は、前記光伝送路を伝送された後の前記隣接する強度変調方式の光信号の波形を検出し、
前記位相変調部は、前記信号処理部で計算された駆動波形に従い、前記光伝送路を伝送された後の前記隣接する強度変調方式の光信号に同期させて、前記光伝送路を伝送された後の前記位相変調方式の光信号に位相変調をかけることを特徴とするＷＤＭ光伝送システム。
【００６６】
（付記１０）  付記９に記載のＷＤＭ光伝送システムであって、
前記光波形検出部および前記信号処理部における処理時間に応じて、前記光伝送路を伝送された後の前記位相変調方式の光信号を遅延させる光遅延素子を備えたことを特徴とするＷＤＭ光伝送システム。
【００６７】
（付記１１）  付記１０に記載のＷＤＭ光伝送システムであって、
前記光遅延素子は、遅延量が可変であることを特徴とするＷＤＭ光伝送システム。
【００６８】
（付記１２）  付記１に記載のＷＤＭ光伝送システムであって、
前記光波形検出部は、位相変調方式の光信号に波長領域で隣接する複数の強度変調方式の光信号の光波形をそれぞれ検出し、
前記信号処理部は、前記光波形検出部で検出された各光波形を基に、前記光伝送路において、前記位相変調方式の光信号が前記隣接する複数の強度変調方式の光信号から受ける位相変調の状態をそれぞれ判断し、各々の位相変調を打ち消すことが可能な位相変調の駆動波形を計算し、
前記位相変調部は、前記信号処理部で計算された各駆動波形を足し合わせた駆動波形に従い、前記隣接する複数の強度変調方式の光信号に同期させて、前記位相変調方式の光信号に付加的に位相変調をかけることを特徴とするＷＤＭ光伝送システム。
【００６９】
（付記１３）  付記１に記載のＷＤＭ光伝送システムであって、
前記強度変調方式の光信号は、ＲＺ方式およびＮＲＺ方式のうちのいずれか１つを適用した光信号であることを特徴とするＷＤＭ光伝送システム。
【００７０】
（付記１４）  付記１に記載のＷＤＭ光伝送システムであって、
前記位相変調方式は、ＤＰＳＫ方式、ＲＺ−ＤＰＳＫ方式、ＣＳＲＺ−ＤＰＳＫ方式、ＤＱＰＳＫ方式、ＲＺ−ＤＱＰＳＫ方式、ＣＳＲＺ−ＤＱＰＳＫ方式およびＣＰ−ＦＳＫ方式のうちのいずれか１つを適用した光信号であることを特徴とするＷＤＭ光伝送システム。
【００７１】
（付記１５）  少なくとも１波の強度変調方式の光信号および少なくとも１波の位相変調方式の光信号を含んだＷＤＭ信号光を光伝送路を介して送受信するＷＤＭ光伝送方法であって、
位相変調方式の光信号に波長領域で隣接する強度変調方式の光信号の光波形を検出し、
該検出した光波形を基に、前記光伝送路において、前記位相変調方式の光信号が前記隣接する強度変調方式の光信号から受ける位相変調の状態を判断し、
該判断した位相変調を打ち消すことが可能な位相変調の駆動波形を計算し、
該計算した駆動波形に従い、前記隣接する強度変調方式の光信号に同期させて、前記位相変調方式の光信号に付加的に位相変調をかけることを特徴とするＷＤＭ光伝送方法。
【図面の簡単な説明】
【００７２】
【図１】本発明の第１実施形態によるＷＤＭ光伝送システムの主要部の構成を示す図である。
【図２】上記第１実施形態におけるＷＤＭ信号光の波長配置の一例を示す図である。
【図３】上記第１実施形態における位相比較部の具体的な構成例を示す図である。
【図４】上記第１実施形態におけるＲＺ信号、ＲＺ−ＤＰＳＫ信号およびＲＺ−ＤＰＳＫ信号にかけられた位相変調の位相関係を説明するための図である。
【図５】上記第１実施形態に関連し、ＲＺ−ＤＰＳＫ光送信器内の位相変調器を利用してＸＰＭを打ち消すための位相変調を行うようした変形例を示す図である。
【図６】本発明の第２実施形態によるＷＤＭ光伝送システムの主要部の構成を示す図である。
【図７】送信側でＲＺ−ＤＰＳＫ信号に位相変調をかけることが困難なネットワークの構成例を示す図である。
【図８】本発明の第３実施形態によるＷＤＭ光伝送システムの主要部の構成を示す図である。
【図９】複数のＲＺ信号から受けるＸＰＭを打ち消すための位相変調をＲＺ−ＤＰＳＫ信号にかけるようにした応用例の構成を示すブロックである。
【図１０】従来のアップグレード方法におけるＷＤＭ光伝送システムの初期の構成例を示す図である。
【図１１】従来のアップグレード方法におけるアップグレード後のＷＤＭ光伝送システムの構成例を示す図である。
【図１２】従来のアップグレード方法におけるＷＤＭ信号光の波長配置の一例を示す図である。
【図１３】ＲＺ信号が隣接チャネルに与える位相変化の一例を示す図である。
【図１４】ＲＺ−ＤＰＳＫ信号が隣接チャネルに与える位相変化の一例を示す図である。
【図１５】ＲＺ−ＤＰＳＫ信号が隣接するＲＺ信号から受ける位相変化の一例を示す図である。
【符号の説明】
【００７３】
１…光送信端局
５…光受信端局
１０…光伝送路
１１1〜１１4…ＲＺ光送信器
１２，１５…合波器
１３，１６，１８，５１，５３，５６…光増幅器
１４5〜１４8…ＲＺ−ＤＰＳＫ光送信器
１７，２１，２１’，５２…光カプラ
２２，６１…光遅延素子
２３，２３’，６２…光フィルタ
２４，２４’，６３…光電変換素子
２５…位相比較部
２６，６４…信号処理部
２７，６６…位相変調器
２８，６５…ドライバ回路
５４，５７…分波器
５５1〜５５4…ＲＺ光受信器
５８5〜５８8…ＲＺ−ＤＰＳＫ光受信器
【図１】
2008078962.tif 000003
【図２】
2008078962.tif 000004
【図３】
2008078962.tif 000005
【図４】
2008078962.tif 000006
【図５】
2008078962.tif 000007
【図６】
2008078962.tif 000008
【図７】
2008078962.tif 000009
【図８】
2008078962.tif 000010
【図９】
2008078962.tif 000011
【図１０】
2008078962.tif 000012
【図１１】
2008078962.tif 000013
【図１２】
2008078962.tif 000014
【図１３】
2008078962.tif 000015
【図１４】
2008078962.tif 000016
【図１５】
2008078962.tif 000017